【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
対象とする画素に地紋画像データを合成すべきか否かを判定する判定手段と、
前記判定手段で合成すべきだと判定された場合に、前記対象とする画素に地紋画像データを合成する合成手段とを有し、
前記判定手段は、前記対象とする画素が、前記原稿画像データのうちの図形の属性情報及びグラフィックの属性情報を有さない画素である場合に、前記地紋画像データを合成すべきと判定することを特徴とする地紋画像合成システム。
【請求項２】
対象とする画素に地紋画像データを合成すべきか否かを判定する判定手段と、
前記判定手段で合成すべきだと判定された場合に、前記対象とする画素に地紋画像データを合成する合成手段とを有し、
前記判定手段は、前記対象とする画素が、前記原稿画像データのうちの図形の属性情報及びグラフィックの属性情報を有さない画素である場合に、前記地紋画像データを合成すべきと判定することを特徴とする地紋画像合成装置。
【請求項３】
対象とする画素に地紋画像データを合成すべきか否かを判定する判定手段と、
前記判定手段で合成すべきだと判定された場合に、前記対象とする画素に地紋画像データを合成する合成手段とを有し、
前記判定手段は、前記対象とする画素が、前記原稿画像データのうちの図形の属性情報及びグラフィックの属性情報を有する画素である場合に、前記地紋画像データを合成すべきでないと判定することを特徴とする地紋画像合成システム。
【請求項４】
対象とする画素に地紋画像データを合成すべきか否かを判定する判定手段と、
前記判定手段で合成すべきだと判定された場合に、前記対象とする画素に地紋画像データを合成する合成手段とを有し、
前記判定手段は、前記対象とする画素が、前記原稿画像データのうちの図形の属性情報及びグラフィックの属性情報を有する画素である場合に、前記地紋画像データを合成すべきでないと判定することを特徴とする地紋画像合成装置。
【請求項５】
対象とする画素に地紋画像データを合成すべきか否かを判定する判定工程と、
前記判定工程で合成すべきだと判定された場合に、前記対象とする画素に地紋画像データを合成する合成工程とを有し、
前記判定工程は、前記対象とする画素が、前記原稿画像データのうちの図形の属性情報及びグラフィックの属性情報を有さない画素である場合に、前記地紋画像データを合成すべきと判定することを特徴とする地紋画像合成システムの制御方法。
【請求項６】
対象とする画素に地紋画像データを合成すべきか否かを判定する判定工程と、
前記判定工程で合成すべきだと判定された場合に、前記対象とする画素に地紋画像データを合成する合成工程とを有し、
前記判定工程は、前記対象とする画素が、前記原稿画像データのうちの図形の属性情報及びグラフィックの属性情報を有さない画素である場合に、前記地紋画像データを合成すべきと判定することを特徴とする地紋画像合成装置の制御方法。
【請求項７】
対象とする画素に地紋画像データを合成すべきか否かを判定する判定工程と、
前記判定工程で合成すべきだと判定された場合に、前記対象とする画素に地紋画像データを合成する合成工程とを有し、
前記判定工程は、前記対象とする画素が、前記原稿画像データのうちの図形の属性情報及びグラフィックの属性情報を有する画素である場合に、前記地紋画像データを合成すべきでないと判定することを特徴とする地紋画像合成システムの制御方法。
【請求項８】
対象とする画素に地紋画像データを合成すべきか否かを判定する判定工程と、
前記判定工程で合成すべきだと判定された場合に、前記対象とする画素に地紋画像データを合成する合成工程とを有し、
前記判定工程は、前記対象とする画素が、前記原稿画像データのうちの図形の属性情報及びグラフィックの属性情報を有する画素である場合に、前記地紋画像データを合成すべきでないと判定することを特徴とする地紋画像合成装置の制御方法。
【請求項９】
地紋画像と原稿画像とを合成して合成画像を生成する画像処理装置であって、
前記原稿画像内の各画素の属性情報の種類を、前記原稿画像内の画素の画素値に基づいて夫々判定する属性判定手段と、
前記属性判定手段で判定された原稿画像内の各画素の属性情報の種類に基づいて、前記各画素に夫々対応する前記合成画像内の画素の画素値を夫々決定することで前記合成画像を生成する生成手段とを有することを特徴とする画像処理装置。
【請求項１０】
地紋画像と原稿画像とを合成して合成画像を生成する画像処理装置であって、
前記原稿画像内の各画素の属性情報の種類を、前記各画素を含むオブジェクトの種類に基づいて夫々判定する属性判定手段と、
前記属性判定手段で判定された原稿画像内の各画素の属性情報の種類に基づいて、前記各画素に夫々対応する前記合成画像内の画素の画素値を夫々決定することで前記合成画像を生成する生成手段とを有することを特徴とする画像処理装置。
【請求項１１】
前記生成手段は、
前記属性判定手段で判定された属性情報の種類が第１の種類である画素を対象とする第１の場合に、
当該対象とする対象画素の画素値に基づいて、前記対象画素に対応する前記合成画像内の画素の画素値を決定し、
前記属性判定手段で判定された属性情報の種類が前記第１の種類とは異なる第２の種類である画素を対象とする第２の場合に、
当該対象とする対象画素に対応する前記地紋画像内の画素の画素値に基づいて、前記対象画素に対応する前記合成画像内の画素の画素値を決定することで前記合成画像を生成することを特徴とする請求項９又は１０に記載の画像処理装置。
【請求項１２】
前記生成手段は、
前記第１の場合に、
前記対象画素の画素値と等しくなるように、前記対象画素に対応する前記合成画像内の画素の画素値を決定し、
前記第２の場合に、
前記対象画素に対応する前記地紋画像内の画素の画素値と等しくなるように、前記対象画素に対応する前記合成画像内の画素の画素値を決定することで前記合成画像を生成することを特徴とする請求項１１に記載の画像処理装置。
【請求項１３】
前記生成手段は、
前記第２の場合に、
前記対象画素に対応する前記地紋画像内の画素の画素値と前記対象画素の画素値とに基づいて、前記対象画素に対応する前記合成画像内の画素の画素値を決定することで前記合成画像を生成することを特徴とする請求項１１に記載の画像処理装置。
【請求項１４】
前記生成手段は、
前記第１の場合に、
前記対象画素の画素値と等しくなるように、前記対象画素に対応する前記合成画像内の画素の画素値を決定し、
前記第２の場合に、
前記対象画素に対応する前記地紋画像内の画素の画素値と前記対象画素の画素値とのうち小さくない方の画素値と等しくなるように、前記対象画素に対応する前記合成画像内の画素の画素値を決定することで前記合成画像を生成するを特徴とする請求項１３に記載の画像処理装置。
【請求項１５】
前記第１の種類の属性情報は、図形の属性情報及びグラフィックの属性情報を含み、
前記第２の種類の属性情報は、文字の属性情報及び線の属性情報を含むことを特徴とする請求項１３に記載の画像処理装置。
【請求項１６】
原稿画像と第１の画像とを合成して合成画像を生成する画像処理装置であって、
前記原稿画像内の各画素の属性情報の種類を、予め定められた複数種類のうちのどの種類にあたるかを判定する属性判定手段と、
ユーザの指示に基づいて、前記予め定められた複数種類のうちの少なくとも１つの種類を選択する選択手段と、
前記属性判定手段で判定された各画素の属性情報の種類と前記選択手段で選択された種類とに基づいて、前記各画素に対応する前記合成画像内の画素の画素値を決定することで前記合成画像を生成する生成手段とを有することを特徴とする画像処理装置。
【請求項１７】
ユーザの指示に基づいて、前記原稿画像内の領域を選択する領域選択手段を更に有し、
前記生成手段は、
前記各画素に対応する前記合成画像内の画素の画素値を決定する際に、さらに前記領域
選択手段で選択された領域にも基づくことを特徴とする請求項１６に記載の画像処理装置。
【請求項１８】
前記選択手段は、
ユーザの指示に基づいて、前記原稿画像内の位置を指定する位置指定手段と、
前記位置指定手段で指定された位置に対応する画素の属性情報の種類を選択する属性情報種類選択手段とを有することを特徴とする請求項１６に記載の画像処理装置。
【請求項１９】
前記位置指定手段は、
前記属性判定手段で判定された属性情報の種類が第１の種類である画素と、前記属性判定手段で判定された属性情報が前記第１の種類とは異なる第２の種類である画素とが、識別可能な状態で前記原稿画像を表示画面に表示するように制御する制御手段と、
ユーザの指示に基づいて、前記制御手段で制御されることで表示画面に表示された原稿画像内の位置を指定する第２の位置指定手段とを有することを特徴とする請求項１８に記載の画像処理装置。
【請求項２０】
前記選択手段は、
第２の合成画像を生成する第２の合成画像生成手段と、
前記画像生成手段で生成された第２の合成画像を表示画面に表示するように制御する制御手段と、
ユーザの指示に基づいて、前記制御手段で制御されることで表示画面に表示された第２の合成画像内の位置を指定する位置指定手段と、
前記位置指定手段で指定された位置に対応する画素の属性情報の種類を選択する属性情報種類選択手段とを有し、
前記第２の合成画像生成手段で生成される第２の合成画像は、
前記属性判定手段で判定された属性情報の種類が第１の種類である画素に対して、当該画素に対応する前記第１の画像内の画素を合成する処理を行い、
前記属性判定手段で判定された属性情報の種類が前記第１の種類とは異なる第２の種類である画素に対して、当該画素に対応する前記第１の画像内の画素を合成する処理を行わないことによって生成される画像であることを特徴とする請求項１６に記載の画像処理装置。
【請求項２１】
地紋画像と原稿画像とを合成して合成画像を生成する画像処理装置の制御方法であって、
前記原稿画像内の各画素の属性情報の種類を、前記原稿画像内の画素の画素値に基づいて夫々判定する属性判定工程と、
前記属性判定工程で判定された原稿画像内の各画素の属性情報の種類に基づいて、前記各画素に夫々対応する前記合成画像内の画素の画素値を夫々決定することで前記合成画像を生成する生成工程とを有することを特徴とする画像処理装置の制御方法。
【請求項２２】
地紋画像と原稿画像とを合成して合成画像を生成する画像処理装置の制御方法であって、
前記原稿画像内の各画素の属性情報の種類を、前記各画素を含むオブジェクトの種類に基づいて夫々判定する属性判定工程と、
前記属性判定工程で判定された原稿画像内の各画素の属性情報の種類に基づいて、前記各画素に夫々対応する前記合成画像内の画素の画素値を夫々決定することで前記合成画像を生成する生成工程とを有することを特徴とする画像処理装置の制御方法。
【請求項２３】
前記生成工程は、
前記属性判定工程で判定された属性情報の種類が第１の種類である画素を対象とする第１の場合に、
当該対象とする対象画素の画素値に基づいて、前記対象画素に対応する前記合成画像内の画素の画素値を決定し、
前記属性判定工程で判定された属性情報の種類が前記第１の種類とは異なる第２の種類である画素を対象とする第２の場合に、
当該対象とする対象画素に対応する前記地紋画像内の画素の画素値に基づいて、前記対象画素に対応する前記合成画像内の画素の画素値を決定することで前記合成画像を生成することを特徴とする請求項２１又は２２に記載の画像処理装置の制御方法。
【請求項２４】
前記生成工程は、
前記第１の場合に、
前記対象画素の画素値と等しくなるように、前記対象画素に対応する前記合成画像内の画素の画素値を決定し、
前記第２の場合に、
前記対象画素に対応する前記地紋画像内の画素の画素値と等しくなるように、前記対象画素に対応する前記合成画像内の画素の画素値を決定することで前記合成画像を生成することを特徴とする請求項２３に記載の画像処理装置の制御方法。
【請求項２５】
前記生成工程は、
前記第２の場合に、
前記対象画素に対応する前記地紋画像内の画素の画素値と前記対象画素の画素値とに基づいて、前記対象画素に対応する前記合成画像内の画素の画素値を決定することで前記合成画像を生成することを特徴とする請求項２３に記載の画像処理装置の制御方法。
【請求項２６】
前記生成工程は、
前記第１の場合に、
前記対象画素の画素値と等しくなるように、前記対象画素に対応する前記合成画像内の画素の画素値を決定し、
前記第２の場合に、
前記対象画素に対応する前記地紋画像内の画素の画素値と前記対象画素の画素値とのうち小さくない方の画素値と等しくなるように、前記対象画素に対応する前記合成画像内の画素の画素値を決定することで前記合成画像を生成するを特徴とする請求項２５に記載の画像処理装置の制御方法。
【請求項２７】
前記第１の種類の属性情報は、図形の属性情報及びグラフィックの属性情報を含み、
前記第２の種類の属性情報は、文字の属性情報及び線の属性情報を含むことを特徴とする請求項２５に記載の画像処理装置の制御方法。
【請求項２８】
原稿画像と第１の画像とを合成して合成画像を生成する画像処理装置の制御方法であって、
前記原稿画像内の各画素の属性情報の種類を、予め定められた複数種類のうちのどの種類にあたるかを判定する属性判定工程と、
ユーザの指示に基づいて、前記予め定められた複数種類のうちの少なくとも１つの種類を選択する選択工程と、
前記属性判定工程で判定された各画素の属性情報の種類と前記選択工程で選択された種類とに基づいて、前記各画素に対応する前記合成画像内の画素の画素値を決定することで前記合成画像を生成する生成工程とを有することを特徴とする画像処理装置の制御方法。
【請求項２９】
ユーザの指示に基づいて、前記原稿画像内の領域を選択する領域選択工程を更に有し、
前記生成工程は、
前記各画素に対応する前記合成画像内の画素の画素値を決定する際に、さらに前記領域選択工程で選択された領域にも基づくことを特徴とする請求項２８に記載の画像処理装置の制御方法。
【請求項３０】
前記選択工程は、
ユーザの指示に基づいて、前記原稿画像内の位置を指定する位置指定工程と、
前記位置指定工程で指定された位置に対応する画素の属性情報の種類を選択する属性情報種類選択工程とを有することを特徴とする請求項２８に記載の画像処理装置の制御方法。
【請求項３１】
前記位置指定工程は、
前記属性判定工程で判定された属性情報の種類が第１の種類である画素と、前記属性判定工程で判定された属性情報が前記第１の種類とは異なる第２の種類である画素とが、識別可能な状態で前記原稿画像を表示画面に表示するように制御する制御工程と、
ユーザの指示に基づいて、前記制御手段で制御されることで表示画面に表示された原稿画像内の位置を指定する第２の位置指定工程とを有することを特徴とする請求項３０に記載の画像処理装置の制御方法。
【請求項３２】
前記選択工程は、
第２の合成画像を生成する第２の合成画像生成工程と、
前記画像生成工程で生成された第２の合成画像を表示画面に表示するように制御する制御工程と、
ユーザの指示に基づいて、前記制御工程で制御されることで表示画面に表示された第２の合成画像内の位置を指定する位置指定工程と、
前記位置指定工程で指定された位置に対応する画素の属性情報の種類を選択する属性情報種類選択工程とを有し、
前記第２の合成画像生成工程で生成される第２の合成画像は、
前記属性判定工程で判定された属性情報の種類が第１の種類である画素に対して、当該画素に対応する前記第１の画像内の画素を合成する処理を行い、
前記属性判定工程で判定された属性情報の種類が前記第１の種類とは異なる第２の種類である画素に対して、当該画素に対応する前記第１の画像内の画素を合成する処理を行わないことによって生成される画像であることを特徴とする請求項２８に記載の画像処理装置の制御方法。
【請求項３３】
請求項５乃至８、及び、２１乃至３２の何れか１項に記載の方法の各工程をコンピュータに実行させるためのプログラム。
【請求項３４】
請求項３３に記載のプログラムを格納したコンピュータ読み取り可能な記憶媒体。